(57)【要約】【課題】部品点数の増加を抑制しつつ本体装置内部からの空気漏れを容易に防止でき、且つ、フロントキャビネットの外側面及びネットの巻き付け範囲を本体装置の横断面における１８０°より大きい範囲に構成し、また本体装置の剛性を高める。【解決手段】  合わせ面２０，３０において合わせた状態でスピーカボックス１を形成するバックキャビネット２及びフロントキャビネット３と、バックキャビネット２及びフロントキャビネット３を接合する第１のボス２４ａ，２４ｂと、第２のボス３６ａ，３６ｂと、音を出力するスピーカユニット４と、本体装置の内部の空間を２つに仕切る筐体１０を形成する第１の壁面２３及び第２の壁面３３とを備える。【選択図】  図３
2006140734.tif 000002
【特許請求の範囲】
【請求項１】
筒状のスピーカボックスであって、
互いの合わせ面を当接させた状態で前記筒状の本体装置を形成するバックキャビネット及びフロントキャビネットと、
前記バックキャビネット及び前記フロントキャビネットを接合する接合手段と、
音を出力するスピーカユニットと、
前記スピーカユニットの背面側を囲み、前記本体装置の内部の空間を２つに仕切る筐体であって、前記合わせ面に平行な面上において前記バックキャビネット及び前記フロントキャビネットのそれぞれに設けられた２つの仕切部材を合わせて形成される筐体と、を備えたことを特徴とするスピーカボックス。
【請求項２】
前記２つの仕切部材は、前記バックキャビネットの内側面から延出し、前記合わせ面に平行な面側において開口して凹部を形成する第１の壁面と、前記フロントキャビネットの内側面から延出し、前記合わせ面に平行な面側において開口して凹部を形成し、開口面が前記第１の壁面の開口面と同一形状の第２の壁面と、を含み、
前記第１の壁面及び前記第２の壁面は、互いの壁面が前記合わせ面に平行な面において重なるように各開放端の少なくとも一部に係合部を備えていることを特徴とする請求項１に記載のスピーカボックス。
【請求項３】
前記係合部は、前記開放端の全周に渡って備えられていることを特徴とする請求項２に記載のスピーカボックス。
【請求項４】
前記バックキャビネットは、前記本体装置の上面及び底面を備え、
前記筐体における前記本体装置の軸方向に平行な前記第２の壁面の前記開放端が、前記合わせ面において前記フロントキャビネットの内側面と一体化され、前記開口面の面積が、前記筐体の前面の面積以上であることを特徴とする請求項２に記載のスピーカボックス。
【請求項５】
前記フロントキャビネットの外側面に沿って巻き付けられ、且つ、前記合わせ面において、前記バックキャビネット及び前記フロントキャビネットの間に挟持されるネットを備えたことを特徴とする請求項４に記載のスピーカボックス。
【請求項６】
前記接合手段は、前記第１の壁面が形成する前記凹部において前記第バックキャビネットの内面から前記合わせ面に向かって突出する第１のボスと、前記第２の壁面が形成する前記凹部において前記フロントキャビネットの内面から前記合わせ面に向かって突出する第２のボスと、を含むことを特徴とする請求項２に記載のスピーカボックス。
【請求項７】
前記第１のボス及び前記第２のボスは、前記合わせ面に平行な面上において嵌合する凹部又は凸部を各先端部に備えたことを特徴とする請求項６に記載のスピーカボックス。
【発明の詳細な説明】
【技術分野】
【０００１】
この発明は、音楽再生装置等の各種音響機器に使用されるスピーカボックスに関する。
【背景技術】
【０００２】
音楽再生装置等の各種音響機器に使用されるスピーカボックスとして、スピーカユニットをその前面を外部に露出させた状態で内部に収容したものがある。一例として、図６（Ａ）〜（Ｆ）に示すスピーカボックス１００は、バックキャビネット１０１、フロントキャビネット１０２、スピーカユニット１０３、ネットフレーム１０４及びジャージーネット１０５等から構成されている。バックキャビネット１０１は、図６（Ｆ）に示すように、半円筒形状を呈し、半円筒の内周面から開口面１１２に向かって突出したボス１１１を有する。ボス１１１には、バックキャビネット１０１の背面に露出した貫通孔が形成されている。フロントキャビネット１０２は、図６（Ｄ），図６（Ｅ）に示すようにバックキャビネット１０１と同様に半円筒形状を呈し、半円筒の内周面から開口面１２２に向かって突出したボス１２１を有する。ボス１２１は、ボス１１１に対向する位置に形成されており、その対向面にはビス穴が形成されている。
【０００３】
バックキャビネット１０１の背面からボス１１１の貫通孔に挿入したビスをボス１２１のビス穴に螺合させてバックキャビネット１０１とフロントキャビネット１０２とを互いの合わせ面１１２及び１２２において合わせる。この時、合わせ面１１２，１２２においてジャージーネット１０５の端部を挟持させて図６（Ａ），（Ｂ），（Ｃ）に示すような外観を形成する。
【０００４】
スピーカユニット１０３は、フロントキャビネット１０２の開口部１２３に前面が外部に露出するように設けられ、バックキャビネット１０１及びフロントキャビネット１０２によって形成された円筒の内部に収容される。ネットフレーム１０４は、スピーカユニット１０３の前面を覆うように、且つ、フロントキャビネット１０２の外周面の一部を形成する。
【０００５】
また、円筒状のスピーカボックスには、図７（Ａ）〜（Ｆ）に示すように、円筒の上面及び底面を形成する円盤１１５をバックキャビネット１０１に備えた構成のものもある。この時、ジャージーネット１０５は、合わせ面１１２及び１２２、円盤１１５の円周部分とフロントキャビネット１０２の外周面との間に挟持される。
【０００６】
さらに、楕円筒の側面を楕円筒の軸方向に平行に切り欠いた面である前面板の開口部に、スピーカユニットを備えた構成がある（例えば、特許文献１参照。）。
【特許文献１】特開平６−３５１００８号公報
【発明の開示】
【発明が解決しようとする課題】
【０００７】
しかしながら、上述した図６に示す構成では、バックキャビネット１０１とフロントキャビネット１０２との接合強度が足りないために合わせ面１１２，１２２における接触が不安定になり、合わせ面１１２，１２２からスピーカボックス１００内部の空気が漏れ易くなっていた。また、ジャージーネット１０５をバックキャビネット１０１とフロントキャビネット１０２とを用いて挟持するため、合わせ面１１２，１２２における接触がより不安定になるので、スピーカボックス１００内部から空気がより漏れ易くなっていた。さらに、この空気漏れを防止するためにバックキャビネッ１０１とフロントキャビネット１０２との接合強度を向上すべくボス１１１、１２１のビスを強く締め付けようとすると、円筒状のスピーカボックス１００の外観形状が変形してしまう虞があった。
【０００８】
このようなボックス内の空気が外部に漏れると、スピーカボックス１００内部に収納されたスピーカユニット１０３の背面側に生じる前面側から出力される音とは逆位相の音が外部に漏れることになり、前面から出力される音が外部に漏れた逆位相の音に打ち消され、スピーカユニット１０３から十分な音量の音を発生できなくなる。
【０００９】
しかも、図６（Ｂ）に示すように、合わせ面１１２，１２２は、スピーカボックス１００の横断面における単一の直径を含む面で構成する必要があり、このことが外観のデザイン上大きな制約となっていた。バックキャビネット１０１及びフロンとキャビネット１０２は、通常は金型により射出成型されるが、合わせ面１１２，１２２を互いの挟み角が１８０°でない２面で形成すると簡単な構成の金型を用いて射出成型することが困難になるからである。また、ジャージーネット１０５をフロントキャビネット１０２の外周面に巻き付けられた構成においても、同様に外観のデザイン上大きな制約となっていた。
【００１０】
一方、上述した図７に示す構成では、バックキャビネット１０１とフロントキャビネット１０２とを合わせる箇所の形状が複雑になるので、合わせ面１１２，１２２における接触がより不安定になり、内部から空気がより漏れ易くなっていた。また、図７に示す構成については、合わせ面１１２，１２２を互いの挟み角が１８０°でない２面で形成することもできるが、金型が非常に複雑な形状となるために製造コストが高騰してしまうため、図６に示す構成と同様にフロントキャビネット１０２及びジャージーネット１０５の巻きつけの範囲は横断面における最大約１８０°の範囲であり、外観のデザイン上大きな制約となっていた。
【００１１】
また、これらの構成には、接合強度を上げることができないためにスピーカボックス装置１００としての剛性にも不安があった。
【００１２】
一方、上述した特許文献１の構成については、特に記載はないが楕円筒が図６又は図７と同様の構成であると考えられ、楕円筒の内部から空気漏れが生じ易いと考えられる。
【００１３】
この発明の目的は、部品点数の増加を抑制しつつ本体装置内部からの空気漏れを容易に防止でき、且つ、フロントキャビネットの外側面及びネットの巻き付け範囲を本体装置の横断面における１８０°より大きい範囲に構成でき、また本体装置の剛性を高めることも可能とするスピーカボックスを提供することにある。
【課題を解決するための手段】
【００１４】
この発明は、上記の課題を解決するために、以下の構成を備えている。
【００１５】
（１）筒状のスピーカボックスであって、
互いの合わせ面を当接させた状態で前記筒状の本体装置を形成するバックキャビネット及びフロントキャビネットと、
前記バックキャビネット及び前記フロントキャビネットを接合する接合手段と、
音を出力するスピーカユニットと、
前記スピーカユニットの背面側を囲み、前記本体装置の内部の空間を２つに仕切る筐体であって、前記合わせ面に平行な面上において前記バックキャビネット及び前記フロントキャビネットのそれぞれに設けられた２つの仕切部材を合わせて形成される筐体と、を備えたことを特徴とする。
【００１６】
この構成においては、バックキャビネット及びフロントキャビネットが互いの合わせ面において合わせられて筒状の本体装置が形成される。この時、２つの仕切部材も合わせられて筒状の本体装置の内部の空間を２つに仕切る筐体が形成される。また、この筐体の内部に音を出力するスピーカユニットが収容される。
【００１７】
したがって、筒状の本体装置の外側面及び内部に形成される筐体が本体装置内部の空気漏れを二重に防止する。また、本体装置の内部に形成された筐体が本体装置の骨格の役割を果たす。
【００１８】
（２）前記２つの仕切部材は、前記バックキャビネットの内側面から延出し、前記合わせ面に平行な面側において開口して凹部を形成する第１の壁面と、前記フロントキャビネットの内側面から延出し、前記合わせ面に平行な面側において開口して凹部を形成し、開口面が前記第１の壁面の開口面と同一形状の第２の壁面と、を含み、
前記第１の壁面及び前記第２の壁面は、互いの壁面が前記合わせ面に平行な面において重なるように各開放端の少なくとも一部に係合部を備えていることを特徴とする。
【００１９】
この構成においては、バックキャビネット及びフロントキャビネットに備えられた２つの仕切部材に、開口面が同一形状の第１の壁面及び第２の壁面が含まれ、第１の壁面及び第２の壁面が合わせられて筐体が形成される。この時、第１の壁面及び第２の壁面の各開放端の少なくとも一部に備えられる係合部によって、互いの壁面が合わせ面に平行な面において重なり合うように第１の壁面と第２の壁面とが係合される。
【００２０】
したがって、第１の壁面及び第２の壁面が合わせ面に平行な面において重ね合わされて筐体が形成されるので、合わせた箇所から空気がより漏れ難い。また、係合部による係合によって衝撃等による第１の壁面及び第２の壁面の合わせ状態がずれることが防止される。
【００２１】
（３）前記係合部は、前記開放端の全周に渡って備えられていることを特徴とする。
【００２２】
この構成においては、開放端の全周に渡って備えられた係合部によって第１の壁面と第２の壁面とが係合される。したがって、第１の壁面と第２の壁面とが完全に係合して筐体が形成されるので、本体装置内部からの空気漏れが防止される。
【００２３】
（４）前記バックキャビネットは、前記本体装置の上面及び底面を備え、
前記筐体における前記本体装置の軸方向に平行な前記第２の壁面の前記開放端が、前記合わせ面において前記フロントキャビネットの内側面と一体化され、前記開口面の面積が、前記筐体の前面の面積以上であることを特徴とする。
【００２４】
この構成においては、本体装置の上面及び底面と本体装置の外側面を構成する一部とがバックキャビネットによって構成され、本体装置の外側面を構成する他部がフロントキャビネットによって形成される。また、本体装置の軸方向に平行な第２の壁面の開放端が合わせ面において、本体装置を構成する他部における内側面と一体形成される。また、第２の壁面が形成する凹部の開口面の面積が、筐体の前面の面積以上で形成されている。
【００２５】
したがって、本体装置の横断面において互いの挟み角が１８０°でない２面によって合わせ面を形成しても、金型を用いて容易にフロントキャビネットが形成される。
【００２６】
（５）前記フロントキャビネットの外側面に沿って巻き付けられ、且つ、前記合わせ面において、前記バックキャビネット及び前記フロントキャビネットの間に挟持されるネットを備えたことを特徴とする。
【００２７】
この構成においては、本体装置の横断面において１８０°より大きい範囲で形成されるフロントキャビネットの外側面にネットが巻き付けられ、合わせ面においてバックキャビネット及びフロントキャビネットの間に挟持される。
【００２８】
（６）前記接合手段は、前記第１の壁面が形成する前記凹部において前記第バックキャビネットの内面から前記合わせ面に向かって突出する第１のボスと、前記第２の壁面が形成する前記凹部において前記フロントキャビネットの内面から前記合わせ面に向かって突出する第２のボスと、を含むことを特徴とする。
【００２９】
この構成においては、第１の壁面が形成する凹部に設けられた第１のボスと、第２の壁面が形成する凹部に設けられた第２のボスとがビス止め等されてバックキャビネット及びフロントキャビネットが接合される。したがって、第１の壁面及び第２の壁面によって形成される筐体の内部に位置している第１のボス及び第２のボスが、筐体及び本体装置の骨格の役割を果たす。
【００３０】
（７）前記第１のボス及び前記第２のボスは、前記合わせ面に平行な面上において嵌合する凹部又は凸部を各先端部に備えたことを特徴とする。
【００３１】
この構成においては、凹凸形状を有する第１のボス及び第２のボスが嵌合してバックキャビネット及びフロントキャビネットが接合される。したがって、第１のボス及び第２のボスが合わせ易く、バックキャビネット及びフロントキャビネットの接合作業が容易となる。
【発明の効果】
【００３２】
この発明によれば、以下の効果を奏することができる。
【００３３】
（１）筒状の本体装置の内部の空間を２つに仕切る筐体を形成することによって、筒状の本体装置の外側面及び内部に形成される筐体が本体装置内部の空気漏れを二重に防止できるので、筐体の内部に収容されたスピーカユニットの背面側から出力された音が外部に漏れることがなく、部品点数の増加を抑制しつつスピーカユニットの前面から出力された音と干渉することを防止でき、高音質を保持することができる。
【００３４】
また、本体装置の内部に形成された筐体によって、本体装置の剛性を高めることができ、仕切部材を合わせている箇所が変形等することを防止できるので、本体装置内部の空気漏れを確実に防止できる。
【００３５】
（２）少なくとも一部に係合部を備えた開口面が同一形状の第１の壁面及び第２の壁面を合わせ面に平行な面において重ね合わせて筐体を形成することによって、筐体内部からの空気漏れを確実に防止できる。また、衝撃等により第１の壁面及び第２の壁面の合わせ状態がずれることを防止でき、本体装置の剛性をより高めることができる。
【００３６】
（３）開放端の全周に渡って備えられた係合部を用いて第１の壁面と第２の壁面とを重ね合わせるように係合することによって、衝撃等により第１の壁面及び第２の壁面の合わせ状態がずれることを確実に防止でき、本体装置の剛性をより高めることができる。
【００３７】
（４）本体装置の軸方向に平行な第２の壁面の開放端を、合わせ面において本体装置を構成する他部における内側面と一体形成し、第２の壁面が形成する凹部の開口面の面積を、筐体の前面の面積以上で形成することによって、本体装置の横断面において１８０°より大きい範囲のフロントキャビネットを金型で容易に形成することができる。これによって、本体装置内部からの空気漏れを防止しつつ、ユーザに視認され易い箇所に位置するフロントキャビネットの外観のデザイン上の制約を緩和できる。
【００３８】
（５）本体装置の横断面において１８０°より大きい範囲のフロントキャビネットにネットを巻き付けることによって、本体装置内部からの空気漏れを防止しつつ、ネットを備えた構成のフロントキャビネットの外観のデザイン上の制約を緩和できる。
【００３９】
（６）第１の壁面が形成する凹部に設けられた第１のボスと、第２の壁面が形成する凹部に設けられた第２のボスとをビス止め等してバックキャビネット及びフロントキャビネットを接合することによって、筐体及び本体装置の剛性をより高めることができる。
【００４０】
（７）第１のボス及び第２のボスを嵌合してバックキャビネット及びフロントキャビネットを接合することによって、バックキャビネット及びフロントキャビネットの接合作業を容易にすることができる。
【発明を実施するための最良の形態】
【００４１】
以下、この発明の最良の実施形態に係るスピーカボックスを図面を参照しつつ詳細に説明する。
【００４２】
図１（Ａ）〜（Ｃ）は、スピーカボックス１の正面図、上面図、側面図である。図２は図１（Ａ）に示すＡ−Ａ′断面を示す断面図であり、図３は図１（Ａ）に示すＢ−Ｂ′断面を示す断面図である。図４及び図５は、スピーカボックス１に備えられるバックキャビネット２及びフロントキャビネット３の斜視図である。
【００４３】
この発明の本体装置である円筒状のスピーカボックス１は、バックキャビネット２、フロントキャビネット３等から構成され、図２及び図３に示すように合わせ面２０，３０においてバックキャビネット２及びフロントキャビネット３を合わせて形成されている。
【００４４】
バックキャビネット２は、図４に示すように外側面（外周面）を形成する円弧状の第１の基台面２１、本体装置の上面、底面を構成する円盤２２ａ，２２ｂ及び第１の基台面２１の内側面（内周面）上に位置する第１の壁面２３等から構成されている。第１の基台面２１は、本体装置の軸方向である矢印Ｙ方向の両端部に円盤２２ａ，２２ｂを有している。第１の壁面２３は、第１の基台面２１の内周面上において矢印Ｙ方向に直交する方向に開口した凹部２３ａを形成している。
【００４５】
また、バックキャビネット２は、凹部２３ａ内において第１の基台面２１の内周面から
矢印Ｙ方向に直交する方向に突出するフロントキャビネット固定用の第１のボス２４ａ，２４ｂを備えている。第１のボス２４ａ，２４ｂは、外部に面した中空形状であり、先端部にフロントキャビネット３固定用のビス孔２５ａ，２５ｂ及び嵌合穴２６ａ，２６ｂを有する。
【００４６】
フロントキャビネット３は、図５に示すように、内側面（内周面）が第１の基台面２１に対向する第２の基台面３１、矢印Ｙ方向の第２の基台面３１の両端側に位置する延材面３２ａ，３２ｂ、第２の基台面３１の内周面上において第１の基台面２１に対向する方向に開口した凹部３３ａを形成する第２の壁面３３等から構成されている。また、フロントキャビネット３は、スピーカユニット４、ネットフレーム５及びジャージーネット（本発明のネットに相当する。）６を備えている。
【００４７】
第２の基台面３１は、第１の基台面２１の内周面に対向する開口部３１ａを備えている。開口部３１ａは、スピーカ取付用ボス３５に保持されたスピーカユニット４の前面を外部に露出する。延材面３２ａ，３２ｂは、第２の基台面の矢印Ｙ方向の両端部から延出してフロントキャビネット３の外側面（外周面）の一部を形成し、自由端側において円盤２２ａ，２２ｂに接続される。
【００４８】
第２の壁面３３は、開口面の形状が前記第１の壁面２３の開口面の形状と等しく、図３の拡大図に示すように開放端３３ｂの全周が第１の壁面２３の開放端２３ｂに外嵌する凹形状を呈している。なお、第１の壁面２３の開放端２３ｂの凸形状及び第２の壁面３３の開放端３３ｂの凹形状が本発明の係合部に相当する。また、図２に示すように、第２の壁面３３のうち矢印Ｙ方向に平行な開放端３３ｂは、フロントキャビネット３の内側面（内周面）と一体形成されている。また、係合部は、開放端３３ｂの全周でなくても少なくとも一部に形成されていればよい。
【００４９】
フロントキャビネット３は、凹部３３ａ内において第２の基台面３１の内周面から矢印Ｙ方向に直交する方向に突出するバックキャビネット固定用の第２のボス３６ａ，３６ｂを備えている。第２のボス３６ａ，３６ｂは、先端部にバックキャビネット２の固定用のビス穴３７ａ，３７ｂを有する。
【００５０】
ネットフレーム５は、延材面３２ａ，３２ｂの間の第２の基台面３１の前面に配置され、スピーカユニット４が開口部３１ａに設けられた状態でスピーカユニット４の前面を覆いつつ、フロントキャビネット３の外周面の一部を形成する。ジャージーネット６は、フロントキャビネット３の外周面全体に巻き付けられる。
【００５１】
なお、本実施形態に係るバックキャビネット２及びフロントキャビネット３は、樹脂で形成され、溶解した状態の樹脂を金型に射出して成型する。
【００５２】
スピーカボックス１の組み立ては、まず第２の基台面３１に形成されたネットフレーム固定用孔３１ｂにネットフレーム５の背面の角部分に形成された４つの係合用爪５ａを挿入し、フロントキャビネット３にネットフレーム５を係合する。
【００５３】
次に、ジャージーネット６をフロントキャビネット３の外周面全体に巻き付けて合わせ面２０、延材面３２ａ，３２ｂの自由端において内周面側に折り返し、折り返した部分を熱溶着してフロントキャビネット３の組品を形成する。なお、ジャージーネット６のない場合は、フロントキャビネット３にネットフレーム５を結合して一体にした後、フロントキャビネット３の外周面の全体に塗装等の仕上げを施してフロントキャビネット３の組品と形成した構成でもよい。
【００５４】
その後、このフロントキャビネット３の組品に、スピーカ取付用ボス３５のビス穴とスピーカユニット４のビス孔４１とを重ね合わせてビスを挿入、螺合させて、フロントキャビネット３にスピーカユニット４を組み付ける。
【００５５】
次に、第１の壁面２３の開放端２３ｂ及び第２の壁面３３の開放端３３ｂを重ね合わせ、且つ、第１のボス２４ａ，２４ｂの嵌合穴２６ａ，２６ｂに第２のボス３６ａ，３６ｂの先端部の凸部を嵌合してビス孔２５ａ，２５ｂに挿入したビスをビス穴３７ａ，３７ｂに螺合させて第１のボス２４ａ，２４ｂ及び第２のボス３６ａ，３６ｂを組み付ける。この時、ビスの挿入は、バックキャビネット２の背面から行う。
【００５６】
これにより、合わせ面２０，３０においてバックキャビネット２及びフロントキャビネット２が合わされ、スピーカボックス装置１が組み立てられる。また、この発明の仕切部材である第１の壁面２３及び第２の壁面３３とが本体装置の内部において筐体１０を形成するので、部品点数の増加を抑制しつつ本体装置の外周面及び内部に形成される筐体１０が本体装置内部からの空気漏れを二重に防止し、筐体１０の内部に収容されたスピーカユニット４の背面側から出力された音が外部に漏れることがなく、スピーカユニット４の前面から出力された音と干渉することを防止でき、高音質を保持することができる。
【００５７】
また、本体装置の内部に形成された筐体１０によって、本体装置の剛性を高めることができ、第１の壁面２３及び第２の壁面３３を合わせている箇所が変形等することを防止できるので、本体装置内部からの空気漏れをより確実に防止できる。
【００５８】
さらに、係合部である第１の壁面２３の開放端２３ｂの凸形状及び第２の壁面３３の開放端３３ｂに形成された凹形状によって、衝撃等により第１の壁面及び第２の壁面の合わせ状態がずれることを防止でき、本体装置の剛性をより高めることができる。
【００５９】
また、本実施形態では、図１（Ｂ）に示すように、本体装置の横断面において２２０°で形成されている。従来のフロントキャビネットの構成では、１８０°より大きい場合、簡単な構成の金型による射出成型は困難であったが、本体装置の上面及び底面をバックキャビネット２に設け、第２の壁面３３が形成する凹部３３ａの開口面の面積を筐体１０の前面（第２の基台面３１）の面積以上で形成することで、１８０°より大きい範囲のフロントキャビネット３の金型による射出成型を容易にしている。
【００６０】
これによって、本体装置内部からの空気漏れを防止しつつ、ユーザに視認され易い箇所に位置するフロントキャビネット３の外観のデザイン上の制約を緩和できる。また、ジャージーネット６を巻き付けたフロントキャビネット３の構成についても外観のデザイン上の制約を緩和できる。
【００６１】
さらに、本実施形態では、この発明の接合手段に含まれる第１の壁面２３が形成する凹部２３ａに設けられた第１のボス２４ａ，２４ｂと、第２の壁面３３が形成する凹部３３ａに設けられた第２のボス３６ａ，３６ｂとを嵌合し、且つ、ビス止めしてバックキャビネット２及びフロントキャビネット３を接合しているので、第１のボス２４ａ，２４ｂ及び第２のボス３６ａ，３６ｂが、筐体１０及び本体装置の骨格の役割を果たす。これによって、筐体１０及び本体装置の剛性をより高めることができる。
【００６２】
しかも、本発明の第１のボス２４ａ，２４ｂの先端部の凹部である嵌合穴２６ａ，２６ｂに、本発明の第２のボス３６ａ，３６ｂの先端部の凸部を嵌合しているので第１のボス２４ａ，２４ｂ及び第２のボス３６ａ，３６ｂを合わせ易く、バックキャビネット２及びフロントキャビネット３の接合作業を容易にすることができる。
【００６３】
なお、本実施形態では、円筒のスピーカボックス１を用いて説明したが、楕円筒や直方体等の筒状のスピーカボックスであれば適用可能である。
【図面の簡単な説明】
【００６４】
【図１】この発明の実施形態に係るスピーカボックスの外観を示す三面図である。
【図２】同スピーカボックスの図１（Ａ）に示すＡ−Ａ’断面を示す断面図である。
【図３】同スピーカボックスの図１（Ａ）に示すＢ−Ｂ’断面を示す断面図である。
【図４】同スピーカボックスに備えられるバックキャビネットの斜視図である。
【図５】同スピーカボックスに備えられるフロントキャビネットの斜視図である。
【図６】従来のスピーカボックスの外観を示す図である。
【図７】従来のスピーカボックスの外観を示す図である。
【符号の説明】
【００６５】
１−スピーカボックス
２−バックキャビネット
３−フロントキャビネット
４−スピーカユニット
６−ジャージーネット
１０−筐体
２０−合わせ面
２１−第１の基台面
２２ａ，２２ｂ−天盤
２３−第１の壁面
２３ａ−凹部
２４ａ，２４ｂ−第１のボス
２５ａ，２5ｂ−ビス孔
２６ａ，２６ｂ−嵌合穴
３０−合わせ面
３１−第２の基台面
３３−第２の壁面
３３ａ−凹部
３６ａ，３６ｂ−第２のボス
３７ａ，３７ｂ−ビス穴
【図１】
2006140734.tif 000003
【図２】
2006140734.tif 000004
【図３】
2006140734.tif 000005
【図４】
2006140734.tif 000006
【図５】
2006140734.tif 000007
【図６】
2006140734.tif 000008
【図７】
2006140734.tif 000009